(57)【特許請求の範囲】
【請求項１】
弦楽器の各弦に交差する基準線上に配列された複数のポールピース、および、その複数のポールピースの周りに巻かれた巻線を有する第１ピックアップブロックと、
弦楽器の各弦に交差する基準線上に配列された複数のポールピース、および、その複数のポールピースの周りに巻かれた巻線を有する第２ピックアップブロックと、を備え、
第１ピックアップブロックが有する複数のポールピースと、第２ピックアップブロックが有する複数のポールピースとが、それぞれから発せられる磁束の方向を揃えて共通の基準線上に、１本の弦と１つのポールピースとが対応するように、弦楽器の弦間隔に合わせて配列され、
第１ピックアップブロックの巻線の巻き方向と、第２ピックアップブロックの巻線の巻き方向とが逆方向であり、
第１ピックアップブロックの巻線と、第２ピックアップブロックの巻線とが直列接続されることを特徴とする弦楽器用ピックアップ。
【請求項２】
弦楽器の各弦に交差する基準線上に配列された複数のポールピース、および、その複数のポールピースの周りに巻かれた巻線をそれぞれが有する複数の第１ピックアップブロックと、
弦楽器の各弦に交差する基準線上に配列された複数のポールピース、および、その複数のポールピースの周りに巻かれた巻線をそれぞれが有し、複数の第１ピックアップブロックのいずれかとそれぞれが対をなす複数の第２ピックアップブロックと、
複数の第１ピックアップブロックのうちいずれか１つを選択し、複数の第２ピックアップブロックのうちいずれか１つを選択し、選択された第１ピックアップブロックの巻線および第２ピックアップブロックの巻線を直列接続する選択スイッチと、を備え、
第１ピックアップブロックが有する複数のポールピースと、その第１ピックアップブロックと対をなす第２ピックアップブロックが有する複数のポールピースとが、それぞれから発せられる磁束の方向を揃えて共通の基準線上に、１本の弦と１つのポールピースとが対応するように、弦楽器の弦間隔に合わせて配列され、
第１ピックアップブロックおよび第２ピックアップブロックによる複数の対は、弦の長手方向について異なる位置に配置され、
各第１ピックアップブロックの巻線の巻き方向と、各第２ピックアップブロックの巻線の巻き方向とが逆方向であることを特徴とする弦楽器用ピックアップ。
【発明の詳細な説明】
【技術分野】
【０００１】
本発明は、弦楽器用ピックアップに関し、特に、ポールピースに巻かれた巻線を有する弦楽器用ピックアップの改良に関する。
【背景技術】
【０００２】
エレキギター、アコースティックギター等の弦楽器には、弦の振動に応じた電気信号を発生するピックアップが用いられている。ピックアップが発生した電気信号は、ギター用のオーディオシステムによって増幅や音色加工等の処理が施された後、音としてスピーカから出力される。
【０００３】
ピックアップには、磁性体としての弦の性質を利用し、弦の振動に基づく誘導起電力を電気信号として出力するものがある。図４にはそのようなピックアップとして、シングルコイルピックアップが示されている。図４（ａ）および（ｂ）は、それぞれ、上面図および正面図を示す。シングルコイルピックアップは、６本の弦５０のそれぞれの近傍から伸びる６本のポールピース５２と、その６本のポールピース５２に巻かれた巻線５４とを備える。ここでは、ポールピース５２として、それぞれから発せられる磁束の向き、すなわちそれぞれの磁極の向きを揃えて配置された棒状の永久磁石が用いられている。
【０００４】
弦５０が振動すると、その弦５０に対応するポールピース５２を通る磁束が変化する。これによって、ポールピース５２を通って巻線５４に鎖交する磁束が弦５０の振動に応じて変化し、出力端子ＡおよびＢからは、６本の弦５０の振動に応じた誘導起電力が出力される。
【０００５】
以下の特許文献１には、シングルコイルピックアップと、ハムバッカーピックアップとが一体に構成されたピックアップ装置が記載されている。ここで、ハムバッカーピックアップは、図４（ｃ）に示されるように、ポールピース５２が２列に配列され、ポールピース５２の各列に巻線が巻かれたものである。一方の列に属するポールピース５２と、他方の列に属するポールピース５２とでは、磁極の向きが逆とされ、各列に巻かれた巻線は、それぞれにおいて生じるハムノイズが打ち消されるよう直列接続されている。
【先行技術文献】
【特許文献】
【０００６】
【特許文献１】特開平８−２０２３６６号公報
【発明の概要】
【発明が解決しようとする課題】
【０００７】
従来のハムバッカーピックアップでは、ポールピースが２列に配列されるため、多数の部材が用いられ、構造が複雑となるという問題があった。また、１本の弦の振動が２つのポールピースにおいて検出されるため、弦の長い範囲に亘って振動が検出され、音質が劣化するという問題があった。
【０００８】
本発明は、簡単な構成により弦楽器用ピックアップの音響特性を向上させることを目的とする。
【課題を解決するための手段】
【０００９】
本発明は、弦楽器の各弦に交差する基準線上に配列された複数のポールピース、および、その複数のポールピースの周りに巻かれた巻線を有する第１ピックアップブロックと、弦楽器の各弦に交差する基準線上に配列された複数のポールピース、および、その複数のポールピースの周りに巻かれた巻線を有する第２ピックアップブロックと、を備え、第１ピックアップブロックが有する複数のポールピースと、第２ピックアップブロックが有する複数のポールピースとが、それぞれから発せられる磁束の方向を揃えて共通の基準線上に、１本の弦と１つのポールピースとが対応するように、弦楽器の弦間隔に合わせて配列され、第１ピックアップブロックの巻線の巻き方向と、第２ピックアップブロックの巻線の巻き方向とが逆方向であり、第１ピックアップブロックの巻線と、第２ピックアップブロックの巻線とが直列接続されることを特徴とする。
【００１０】
また、本発明は、弦楽器の各弦に交差する基準線上に配列された複数のポールピース、および、その複数のポールピースの周りに巻かれた巻線をそれぞれが有する複数の第１ピックアップブロックと、弦楽器の各弦に交差する基準線上に配列された複数のポールピース、および、その複数のポールピースの周りに巻かれた巻線をそれぞれが有し、複数の第１ピックアップブロックのいずれかとそれぞれが対をなす複数の第２ピックアップブロックと、複数の第１ピックアップブロックのうちいずれか１つを選択し、複数の第２ピックアップブロックのうちいずれか１つを選択し、選択された第１ピックアップブロックの巻線および第２ピックアップブロックの巻線を直列接続する選択スイッチと、を備え、第１ピックアップブロックが有する複数のポールピースと、その第１ピックアップブロックと対をなす第２ピックアップブロックが有する複数のポールピースとが、それぞれから発せられる磁束の方向を揃えて共通の基準線上に、１本の弦と１つのポールピースとが対応するように、弦楽器の弦間隔に合わせて配列され、第１ピックアップブロックおよび第２ピックアップブロックによる複数の対は、弦の長手方向について異なる位置に配置され、各第１ピックアップブロックの巻線の巻き方向と、各第２ピックアップブロックの巻線の巻き方向とが逆方向であることを特徴とする。
【００１１】
また、本発明に関連する弦楽器用ピックアップは、基準線上に配列された複数のポールピース、および、その複数のポールピースの周りに巻かれた巻線をそれぞれが有する複数の第１ピックアップブロックと、基準線上に配列された複数のポールピース、および、その複数のポールピースの周りに巻かれた巻線をそれぞれが有し、複数の第１ピックアップブロックのいずれかとそれぞれが対をなす複数の第２ピックアップブロックと、複数の第１ピックアップブロックのうちいずれか１つを選択し、複数の第２ピックアップブロックのうちいずれか１つを選択し、選択された第１ピックアップブロックの巻線および第２ピックアップブロックの巻線を直列接続する選択スイッチと、を備え、第１ピックアップブロックが有する複数のポールピースと、その第１ピックアップブロックと対をなす第２ピックアップブロックが有する複数のポールピースとが共通の基準線上に配列され、第１ピックアップブロックおよび第２ピックアップブロックによる複数の対は、弦の長手方向について異なる位置に配置されている。
【発明の効果】
【００１２】
本発明によれば、簡単な構成により弦楽器用ピックアップの音響特性を向上させることができる。
【図面の簡単な説明】
【００１３】
【図１】第１実施形態に係る弦楽器用ピックアップの構成を示す図である。
【図２】第２実施形態に係る弦楽器用ピックアップシステムの構成を示す図である。
【図３】弦楽器用ピックアップシステムの回路図である。
【図４】シングルコイルピックアップおよびハムバッカーピックアップの構成を示す図である。
【発明を実施するための形態】
【００１４】
図１には、本発明の第１実施形態に係る弦楽器用ピックアップの構成が示されている。図１（ａ）は上面図を示し、図１（ｂ）は正面図を示す。ただし、図１（ｂ）における上方向は弦楽器用ピックアップから弦の側に向かう方向であり、左方向は１弦から６弦に向かう方向である。
【００１５】
弦楽器用ピックアップは、第１ピックアップブロック１０および第２ピックアップブロック２０を備え、２つのピックアップブロックによって６本の弦の振動に応じた電気信号を出力端子ＡおよびＢから出力する。
【００１６】
第１ピックアップブロック１０は、仮想の基準線Ｌ上に配列された３本のポールピース１２、３本のポールピース１２に巻かれた第１巻線１４、３本のポールピース１２の上端部を保持する上側固定板１６、および、３本のポールピース１２の下端部を保持する下側固定板１８を備える。ここで基準線Ｌは、１弦〜６弦の長手方向に対して垂直としているが、必ずしも垂直である必要はない。基準線Ｌは、１弦〜６弦の長手方向に対して斜めに交差するものであってもよい。また、基準線Ｌは必ずしも直線でなくてもよい。第１ピックアップブロック１０と第２ピックアップブロック２０との間で、屈折するものであってもよいし、第１ピックアップブロック１０から第２ピックアップブロック２０にかけて曲線を描くものであってもよい。
【００１７】
３本のポールピース１２は、棒状の永久磁石によって形成され、磁極の向きを揃えて弦の間隔に合わせて配置されている。図１（ｂ）においては、各ポールピース１２のＳ極は上方に向けられ、Ｎ極は下方に向けられている。３本のポールピース１２のそれぞれの上端面は、各ポールピース１２に対応する１弦〜３弦を臨んでいる。
【００１８】
第１巻線１４は、絶縁材料で被覆された導線を、３本のポールピース１２に巻き付けたものである。本実施形態においては、ボビン等を介さず、３本のポールピース１２に導線が直接巻き付けられている。第１巻線１４の一端は出力端子Ａに接続され、第１巻線１４の他端は、第２ピックアップブロック２０が備える第２巻線２４の一端に接続されている。
【００１９】
上側固定板１６および下側固定板１８は、プラスチック樹脂、ガラス、紙、木等の非磁性材料で形成されている。上側固定板１６は、各ポールピース１２の上端部を貫通させ保持している。下側固定板１８は、各ポールピース１２の下端部を保持している。
【００２０】
第２ピックアップブロック２０は、第１ピックアップブロック１０と共通の基準線Ｌ上に配列された３本のポールピース２２、３本のポールピース２２に巻かれた第２巻線２４、３本のポールピース２２の上端部を保持する上側固定板２６、および３本のポールピース２２の下端部を保持する下側固定板２８を備える。ここで、基準線Ｌを、第１ピックアップブロック１０を通る区間と、第２ピックアップブロック２０を通る区間とを弦の長手方向にずらしたクランク形状とし、第１ピックアップブロック１０のポールピース１２および第２ピックアップブロック２０のポールピース２２をオフセットさせてもよい。
【００２１】
３本のポールピース２２は、棒状の永久磁石によって形成され、磁極の向きを揃えて弦の間隔に合わせて配置されている。この磁極の向きは、第１ピックアップブロック１０が備える各ポールピース１２の磁極の向きと同一とする。本実施形態においては、各ポールピース２２のＳ極は上方に向けられ、Ｎ極は下方に向けられている。３本のポールピース２２のそれぞれの上端面は、各ポールピース２２に対応する４弦〜６弦を臨んでいる。また、第２ピックアップブロック２０に属するポールピース２２のうち、最も第１ピックアップブロック１０寄りのものと、第１ピックアップブロック１０に属するポールピース１２のうち、最も第２ピックアップブロック２０寄りのものとの間隔は、３弦および４弦の間隔に合わせた間隔とする。
【００２２】
第２巻線２４は、絶縁材料で被覆された導線を、３本のポールピース２２に巻き付けたものである。本実施形態においては、ボビン等を介さず、３本のポールピース２２に導線が直接巻き付けられている。
【００２３】
第２巻線２４の一端は、第１巻線１４の一端に接続され、第２巻線２４の他端は出力端子Ｂに接続されている。これによって、第１巻線１４および第２巻線２４は、巻き方向を逆にしつつ直列接続される。
【００２４】
第１巻線１４および第２巻線２４の巻き方向を、ポールピースの長手方向を上から下に見て右回りであるか、左回りであるかに基づき定義するものとすれば、第２巻線２４の巻き方向は、第１巻線１４の巻き方向とは逆方向とする。例えば、第１巻線１４の巻き方向を上から見て右回りとした場合には、第２巻線２４の巻き方向は、上から見て左回りとする。また、第１巻線１４の巻き方向を上から見て左回りとした場合には、第２巻線２４の巻き方向は、上から見て右回りとする。
【００２５】
第２巻線２４の巻き回数は、第１巻線１４の巻き回数と同一とする。ただし、第１ピックアップブロック１０のポールピース１２の磁気的特性（磁力、透磁率等）と、第２ピックアップブロック２０のポールピース２２の磁気的特性とが異なる場合には、磁気的特性の相違に応じて第１巻線１４の巻き回数と、第２巻線２４の巻き回数とに違いを持たせ、各巻線で発生する誘導起電力のばらつきを抑えることとしてもよい。
【００２６】
第１巻線１４および第２巻線２４の線径は、音質に応じて決定してもよい。例えば、線径を太くすることにより高音域が伸びることが多く、線径を細くすることで低音域が押し上げられることが多い。
【００２７】
上側固定板２６および下側固定板２８は、プラスチック樹脂、ガラス、紙、木等の非磁性材料で形成されている。上側固定板２６は、各ポールピース２２の上端部を貫通させ保持している。下側固定板２８は、各ポールピース２２の下端部を保持している。
【００２８】
なお、図１（ｂ）は、第１巻線１４および第２巻線２４が外部に露出した構成を示しているが、これらの巻線は、プラスチック樹脂等で形成された筐体や、テープで覆われていてもよい。
【００２９】
また、第１ピックアップブロック１０の上側固定板１６と、第２ピックアップブロック２０の上側固定板２６とを一体化してもよいし、第１ピックアップブロック１０の下側固定板１８と、第２ピックアップブロック２０の下側固定板２８とを一体化してもよい。さらに、第１ピックアップブロック１０および第２ピックアップブロック２０は、各ポールピースの上端面を露出しつつ、１つの筐体にまとめて収納してもよい。この筐体は、広く市販されているピックアップと取り替え可能な形状としてもよい。
【００３０】
次に、弦楽器用ピックアップの動作について説明する。第１ピックアップブロック１０に対応する１弦〜３弦のいずれかが振動すると、振動した弦に対応するポールピース１２を通る磁束が変化する。これによって、そのポールピース１２を通って第１巻線１４に鎖交する磁束が弦の振動に応じて変化し、第１巻線１４の両端には、１弦〜３弦の振動に応じた誘導起電力が現れる。
【００３１】
また、第２ピックアップブロック２０に対応する４弦〜６弦のいずれかが振動すると、振動した弦に対応するポールピース２２を通る磁束が変化する。これによって、そのポールピース２２を通って第２巻線２４に鎖交する磁束が弦の振動に応じて変化し、第２巻線２４の両端には、弦の振動に応じた誘導起電力が現れる。
【００３２】
上記のように第１巻線１４および第２巻線２４は直列接続されている。そのため、第１巻線１４および第２巻線２４のそれぞれにおいて発生した誘導起電力、すなわち、１弦〜６弦の振動に基づく誘導起電力は出力端子ＡおよびＢから出力される。
【００３３】
また、ノイズ電磁波が到来することにより、第１巻線１４および第２巻線２４のそれぞれには、ハムノイズとしてノイズ電圧が誘起される。本実施形態に係る弦楽器用ピックアップにおいては、第１巻線１４の巻き方向と、第２巻線２４の巻き方向とは逆方向である。そのため、出力端子Ｂを基準として接続節点Ｃに現れる第２巻線２４のノイズ電圧と、接続節点Ｃを基準として出力端子Ａに現れる第１巻線１４のノイズ電圧とは逆位相となり、それぞれの巻線は誘起されたノイズ電圧を互いに抑制し合う。これよって、本実施形態に係る弦楽器用ピックアップは、ハムバッカーピックアップとして動作し、出力端子ＡおよびＢに現れるノイズ電圧が低減される。
【００３４】
このように、本実施形態に係る弦楽器用ピックアップによれば、簡単な構成によってハムノイズが低減される。また、巻線をポールピースに直接巻くことで、ボビン等を介する場合に比較して、弦の振動がより忠実に誘導起電力に変換される。さらに、第１ピックアップブロック１０のポールピース１２の磁極の向きと、第２ピックアップブロック２０のポールピース２２の磁極の向きとを同一方向とすることで、３弦および４弦による誘導起電力が打ち消されることが回避される。
【００３５】
また、図４（ｃ）に示されるような従来のハムバッカーピックアップでは、ポールピースの列間に振動の節がある振動成分を検出することが困難であり、音質が劣化するという問題があった。本実施形態に係る弦楽器用ピックアップによれば、１列に配列されたポールピースによって弦の振動が検出されるため、このような音質劣化が抑制される。
【００３６】
次に、本発明の第２実施形態に係る弦楽器用ピックアップシステムについて説明する。図２には、本実施形態に係る弦楽器用ピックアップシステムをエレキギターに取り付けたときの構成が示されている。このシステムは、エレキギターの弦における３つの異なるピックアップ位置Ｐ１〜Ｐ３のそれぞれに、第１ピックアップブロックおよび第２ピックアップブロックの対を配置したものである。図２に示されるように、３個の第１ピックアップブロック１０−１〜１０−３は、１弦〜３弦の３つのピックアップ位置Ｐ１〜Ｐ３にそれぞれ配置されている。そして、これらの第１ピックアップブロックと対をなす３個の第２ピックアップブロック２０−１〜２０−３は、４弦〜６弦の３つの位置Ｐ１〜Ｐ３にそれぞれ配置されている。
【００３７】
第１選択スイッチ３０は、第１ピックアップブロック１０−１〜１０−３のうち、１弦〜３弦の振動検出に使用するものを１つ選択する。第２選択スイッチ３２は、第２ピックアップブロック２０−１〜２０−３のうち、４弦〜６弦の振動検出に使用するものを１つ選択する。第１選択スイッチ３０によって選択された第１ピックアップブロックの第１巻線と、第２選択スイッチ３２によって選択された第２ピックアップブロックの第２巻線とは直列接続される。
【００３８】
ジャック３４には、オーディオシステムに至るケーブルのプラグが差し込まれる。ジャック３４からは、第１選択スイッチ３０および第２選択スイッチ３２によって選択され直列接続された第１ピックアップブロックと第２ピックアップブロックの誘導起電力が、電気信号として出力される。
【００３９】
図３には、弦楽器用ピックアップシステムの回路図が示されている。この回路図においては、第１ピックアップブロック１０−１〜１０−３について、それぞれ、第１巻線１４−１〜１４−３およびポールピース１２が描かれている。また、第２ピックアップブロック２０−１〜２０−３について、第２巻線２４−１〜２４−３およびポールピース２２が描かれている。
【００４０】
第１選択スイッチ３０は、基準端子Ｔ０、選択端子Ｔ１〜Ｔ６、および基準端子Ｔ７を備える。第１選択スイッチ３０の操作により、基準端子Ｔ０は、切片４０によって選択端子Ｔ１〜Ｔ３のうちいずれか１つに接続される。同時に、選択端子Ｔ４〜Ｔ６のうちいずれか１つは、もう一つの切片４２によって基準端子Ｔ７に接続される。第１選択スイッチ３０の切片４０が、基準端子Ｔ０と選択端子Ｔ１〜Ｔ３のうちいずれか１つとを接続する動作と、第１選択スイッチ３０の切片４２が、選択端子Ｔ４〜Ｔ６のうちいずれかと基準端子Ｔ７とを接続する動作とは連動する。第１選択スイッチ３０には、ロータリスイッチを用いてもよい。
【００４１】
第２選択スイッチ３２は、基準端子Ｕ０、および選択端子Ｕ１〜Ｕ３を備える。第２選択スイッチ３２の操作により、基準端子Ｕ０は、切片４４により選択端子Ｕ１〜Ｕ３のうちいずれか１つに接続される。第２選択スイッチ３２には、ロータリスイッチを用いてもよい。以下においては、接地導体Ｇ、第２巻線２４−１〜２４−３、第２選択スイッチ３２、第１選択スイッチ３０、第１巻線１４−１〜１４−３、およびジャック３４の順に、これらの接続構成について説明する。
【００４２】
第２巻線２４−１〜２４−３のそれぞれの一端は、接地導体Ｇに接続されている。第２巻線２４−１〜２４−３のそれぞれの他端は、第２選択スイッチ３２の選択端子Ｕ１〜Ｕ３にそれぞれ接続されている。第２選択スイッチ３２の基準端子Ｕ０は、第１選択スイッチ３０の基準端子Ｔ０に接続されている。
【００４３】
第１巻線１４−１〜１４−３のそれぞれの一端は、第１選択スイッチ３０の選択端子Ｔ１〜Ｔ３にそれぞれ接続されている。第１巻線１４−１〜１４−３のそれぞれの他端は、第１選択スイッチ３０の選択端子Ｔ４〜Ｔ６にそれぞれ接続されている。第１選択スイッチ３０の基準端子Ｔ７は、ジャック３４の信号端子３６に接続されている。ジャック３４の接地端子３８は接地導体Ｇに接続されている。
【００４４】
次に、弦楽器用ピックアップシステムの動作について説明する。第１選択スイッチ３０の操作により、その切片４０は、選択端子Ｔ１〜Ｔ３のうちいずれか１つと基準端子Ｔ０とを接続する。これに連動して、もう一つの切片４２は、選択端子Ｔ４〜Ｔ６のうちいずれか１つと基準端子Ｔ７とを接続する。例えば、第１ピックアップブロック１０−２を選択する操作がなされた場合には、切片４０は、選択端子Ｔ２と基準端子Ｔ０とを接続し、もう一つの切片４２は、選択端子Ｔ５と基準端子Ｔ７とを接続する。
【００４５】
第２選択スイッチ３２の操作により、その切片４４は、選択端子Ｕ１〜Ｕ３のうちいずれか１つと基準端子Ｕ０とを接続する。例えば、第２ピックアップブロック２０−２を選択する操作がなされた場合には、切片４４は、選択端子Ｕ２と基準端子Ｕ０とを接続する。
【００４６】
これによって、第１選択スイッチ３０によって選択された第１ピックアップブロックの第１巻線と、第２選択スイッチ３２によって選択された第２ピックアップブロックの第２巻線とが直列接続される。
【００４７】
第１実施形態に係る弦楽器用ピックアップと同様の原理により、第１選択スイッチ３０によって選択された第１ピックアップブロックの第１巻線の両端には、１弦〜３弦の振動に応じた誘導起電力が現れる。そして、第２選択スイッチ３２によって選択された第２ピックアップブロックの第２巻線の両端には、４弦〜６弦の振動に応じた誘導起電力が現れる。これによって、第１巻線および第２巻線のそれぞれにおいて発生した誘導起電力、すなわち、１弦〜６弦の振動に基づく誘導起電力がジャック３４の信号端子３６から出力される。
【００４８】
本実施形態においては、第１巻線１４−１〜１４−３の巻き方向と、第２巻線２４−１〜２４−３の巻き方向は逆方向である。そのため、接地導体Ｇを基準として基準端子Ｕ０およびＴ０に現れる第２巻線のノイズ電圧と、基準端子Ｕ０およびＴ０を基準としてジャック３４の信号端子３６に現れる第１巻線のノイズ電圧とは逆位相となり、第１巻線および第２巻線は、誘起されたノイズ電圧を互いに抑制し合う。これよって、ジャック３４の信号端子３６と接地端子３８との間に現れるノイズ電圧が低減される。
【００４９】
さらに、本実施形態に係る弦楽器用ピックアップシステムによれば、以下に説明する原理に基づき、ユーザは弦の振動検出に使用するピックアップブロックを適宜選択し、音色を選択することができる。
【００５０】
弦の振動には、基本振動の他、複数の高次振動が含まれる。そして、弦の位置によって各振動成分の割合が異なるため、振動を検出する位置によって検出される音色が異なる。例えば、弦の固定端から弦の長さの４分の１だけ離れた位置では、４次振動成分（４倍音）が小さくなる。演奏家の間では、固定端に近い位置で振動が検出された場合にはシャープな音が発せられ、固定端から遠い位置で振動が検出された場合にはマイルドな音が発せられるといわれている。
【００５１】
ここで、第１ピックアップブロック１０−１〜１０−３は、１弦〜３弦の異なる３つの位置Ｐ１〜Ｐ３にそれぞれ配置され、第２ピックアップブロック２０−１〜２０−３は、４弦〜６弦の異なる３つの位置Ｐ１〜Ｐ３にそれぞれ配置されている。したがって、１弦〜３弦については、音色の異なる第１ピックアップブロック１０−１〜１０−３のうちいずれか１つを選択して振動を検出し、４弦〜６弦については、音色の異なる第２ピックアップブロック２０−１〜２０−３のうちいずれか１つを選択して振動を検出することができる。これによって、ユーザは、１弦〜３弦の音色と、４弦〜６弦の音色とを独立に設定することができる。
【００５２】
なお、上記では、各第１ピックアップブロックの第１巻線の巻き方向と、各第２ピックアップブロックの第２巻線の巻き方向とを逆方向とし、ハムバッカーピックアップとして機能させる例について説明した。ここで、１弦〜３弦の音色と、４弦〜６弦の音色とを独立に設定するという機能のみが必要であり、ハムバッカーピックアップとしての機能が必要でない場合には、各第１ピックアップブロックの第１巻線の巻き方向と、各第２ピックアップブロックの第２巻線の巻き方向とを同一としてもよい。
【００５３】
また、上記の第１および第２実施形態としては、６本の弦を有する弦楽器に用いられる弦楽器用ピックアップおよび弦楽器用ピックアップシステムについて採り上げた。本発明は、弦の本数が６本ではない弦楽器に用いてもよい。この場合、弦の本数に応じた数のポールピースを設ける。例えば、４本の弦を有するベースギターでは、第１ピックアップブロックおよび第２ピックアップブロックのそれぞれに２本のポールピースを設け、合計４本のポールピースを設ける構成とすればよい。
【符号の説明】
【００５４】
１〜６，５０  弦、１０，１０−１〜１０−３  第１ピックアップブロック、１２，２２，５２  ポールピース、１４，１４−１〜１４−３  第１巻線、１６，２６  上側固定板、１８，２８  下側固定板、２０，２０−１〜２０−３  第２ピックアップブロック、２４，２４−１〜２４−３  第２巻線、３０  第１選択スイッチ、３２  第２選択スイッチ、３４  ジャック、３６  信号端子、４０，４２，４４  切片、５４  巻線、Ｌ  基準線、Ａ，Ｂ  出力端子、Ｃ  接続節点、Ｐ１〜Ｐ３  ピックアップ位置、Ｔ１〜Ｔ６，Ｕ１〜Ｕ３  選択端子、Ｔ０，Ｔ７，Ｕ０  基準端子、Ｇ  接地導体。
【図１】
0005739298.tif 000002
【図２】
0005739298.tif 000003
【図３】
0005739298.tif 000004
【図４】
0005739298.tif 000005